(57)【要約】【課題】袋体本体の内圧に対する嵌合強度が高く、袋体本体の開口部側からは容易に開封できる嵌合具付き袋体を得ることができる嵌合具、および嵌合具付き袋体を提供する。【解決手段】突条の嵌合雄部２０および嵌合雄部２０の一方の側に平行に設けられた突起部３０を有する第１のテープ体４０と、嵌合雄部２０に着脱可能に嵌合する嵌合雌部５０を有する第２のテープ体６０とを具備し、突起部３０が、突起部３０がない側の第１のテープ体４０と第２のテープ体６０との間隔が拡がるときに、嵌合雌部５０の側面に当接するように設けられている嵌合具１０；嵌合具１０が、突起部３０が嵌合雄部２０よりも開口部側となるように、袋体本体の開口部近傍の内面に取り付けられている嵌合具付き袋体。【選択図】図１
2007190324.tif 000002
【特許請求の範囲】
【請求項１】
突条の嵌合雄部および該嵌合雄部の一方の側に平行に設けられた突起部を有する第１のテープ体と、嵌合雄部に着脱可能に嵌合する嵌合雌部を有する第２のテープ体とを具備する嵌合具であり、
突起部が、突起部がない側の第１のテープ体と第２のテープ体との間隔が拡がるときに、嵌合雌部の側面に当接するように設けられていることを特徴とする嵌合具。
【請求項２】
突起部が、突起部がない側の第１のテープ体と第２のテープ体との間隔が拡がる前には、嵌合雌部から離間していることを特徴とする請求項１に記載の嵌合具。
【請求項３】
開口部を有する袋体本体と、請求項１または２に記載の嵌合具とを具備し、
嵌合具が、突起部が嵌合雄部よりも開口部側となるように、袋体本体の開口部近傍の内面に取り付けられていることを特徴とする嵌合具付き袋体。
【発明の詳細な説明】
【技術分野】
【０００１】
本発明は、嵌合具および嵌合具付き袋体に関する。
【背景技術】
【０００２】
袋体本体の開口部近傍の内面にテープ状の嵌合具（ジッパーテープ）を取り付けることにより、開閉自在とされた嵌合具付き袋体（チャック袋）が知られている（例えば、特許文献１）。該嵌合具は、突条の嵌合雄部が形成された第１のテープ体と、凹条の嵌合雌部が形成された第２のテープ体とを備え、嵌合雄部と嵌合雌部とが着脱可能に嵌合するものである。
【０００３】
この嵌合具付き袋体は、嵌合具よりも開口部側から容易に開封できるように、嵌合強度が低く抑えられている。そのため、嵌合具よりも内側の袋体本体の内圧が高まった場合、該内圧によって嵌合雄部が嵌合雌部から脱離し、嵌合具付き袋体が開封されてしまうという問題がある。
【０００４】
この問題を解決する嵌合具付き袋体としては、嵌合雄部およびこの両側に平行に設けられた２条の突起部が形成された第１のテープ体と、嵌合雌部およびこの両側に平行に設けられた２条の突起部が形成された第２のテープ体とを備えた嵌合具付き袋体が提案されている（例えば、特許文献２）。
【０００５】
この嵌合具付き袋体においては、袋体本体の内圧が高まり、嵌合雄部および嵌合雌部よりも袋体本体内側の第１のテープ体と第２のテープ体との間隔が拡がった際に、嵌合雄部よりも袋体本体開口部側の第１のテープ体の突起部と、これに対応する第２のテープ体の突起部とが衝突することにより、嵌合雄部の嵌合雌部からの脱離が抑制される。
【０００６】
しかしながら、この嵌合具付き袋体は、突起部が嵌合雄部および嵌合雌部の両側に２条ずつ設けられているため、嵌合具よりも開口部側から開封しようとしても、袋体本体内側側の第１のテープ体の突起部と、これに対応する第２のテープ体の突起部とが衝突してしまう。そのため、嵌合具よりも開口部側から開封しにくいという問題がある。
【特許文献１】特開２００５−１３１１８５号公報
【特許文献２】米国特許第５３６８３９４号明細書
【発明の開示】
【発明が解決しようとする課題】
【０００７】
よって、本発明の目的は、袋体本体の内圧に対する嵌合強度が高く、かつ袋体本体の開口部側からは容易に開封できる嵌合具付き袋体を得ることができる嵌合具、および袋体本体の内圧に対する嵌合強度が高く、かつ袋体本体の開口部側からは容易に開封できる嵌合具付き袋体を提供することにある。
【課題を解決するための手段】
【０００８】
本発明の嵌合具は、突条の嵌合雄部および該嵌合雄部の一方の側に平行に設けられた突起部を有する第１のテープ体と、嵌合雄部に着脱可能に嵌合する嵌合雌部を有する第２のテープ体とを具備する嵌合具であり、突起部が、突起部がない側の第１のテープ体と第２のテープ体との間隔が拡がるときに、嵌合雌部の側面に当接するように設けられていることを特徴とする。
【０００９】
突起部は、突起部がない側の第１のテープ体と第２のテープ体との間隔が拡がる前には、嵌合雌部から離間していてもよい。
本発明の嵌合具付き袋体は、開口部を有する袋体本体と、請求項１または２に記載の嵌合具とを具備し、嵌合具が、突起部が嵌合雄部よりも開口部側となるように、袋体本体の開口部近傍の内面に取り付けられていることを特徴とする。
【発明の効果】
【００１０】
本発明の嵌合具によれば、袋体本体の内圧に対する嵌合強度が高く、かつ袋体本体の開口部側からは容易に開封できる嵌合具付き袋体を得ることができる。
本発明の嵌合具付き袋体は、袋体本体の内圧に対する嵌合強度が高く、かつ袋体本体の開口部側からは容易に開封できる。
【発明を実施するための最良の形態】
【００１１】
図１は、本発明の嵌合具の一例を示す断面図である。嵌合具１０は、突条の嵌合雄部２０および該嵌合雄部２０の一方の側に平行に設けられた突条の突起部３０を有する第１のテープ体４０と、嵌合雄部２０に着脱可能に嵌合する、凹条の嵌合雌部５０を有する第２のテープ体６０とを具備するものである。
【００１２】
嵌合雄部２０は、第１のテープ体本体４１から略直角に立ち上がった、第１のテープ体本体４１の長手方向に延びる幹部２１と、該幹部２１の先端に形成された断面半円形の頭部２２とから構成される。
頭部２２には、側方に突出した第１の雄係止爪部２３および第２の雄係止爪部２４が形成されている。
【００１３】
嵌合雌部５０は、第２のテープ体本体６１から断面略円弧状に立ち上がった、第２のテープ体本体６１の長手方向に延びる第１のアーム部５１および第２のアーム部５２から構成される。
第１のアーム部５１の先端には、嵌合雄部２０側に突出した第１の雌係止爪部５３が形成されている。また、第２のアーム部５２の先端には、嵌合雄部２０側に突出した第２の雌係止爪部５４が形成されている。
【００１４】
第１のアーム部５１と第２のアーム部５２とから形成される断面半円形の凹部５５内には、嵌合雄部２０の頭部２２が嵌合する。雌係止爪部５３と雌係止爪部５４との間には、嵌合雄部２０の幹部２１と同程度の幅の隙間が形成されている。
【００１５】
第１の雌係止爪部５３が当接する第１の雄係止爪部２３の面は、第２のテープ体６０側に傾斜している。これにより、第１の雄係止爪部２３と第１の雌係止爪部５３との引っ掛かりは弱くなり、第１の雌係止爪部５３は、第１の雄係止爪部２３から外れやすくなっている。
【００１６】
また、第２の雌係止爪部５４が当接する第２の雄係止爪部２４の面は、第１のテープ体本体４１側に傾斜している。これにより、第２の雄係止爪部２４と第２の雌係止爪部５４との引っ掛かりが維持され、第２の雌係止爪部５４は、第２の雄係止爪部２４から外れにくくなっている。
【００１７】
突起部３０は、突起部３０がない側の第１のテープ体４０と第２のテープ体６０との間隔が拡がるときに、嵌合雌部５０の側面に当接するように設けられていればよい。よって、突起部３０がない側の第１のテープ体４０と第２のテープ体６０との間隔が拡がる前には、図１のように、突起部３０は嵌合雌部５０の側面（アーム部５１の側面）に当接していてもよく、図２に示すように、突起部３０は嵌合雌部５０（アーム部５１）から離間していてもよい。
また、突起部３０の高さは、突起部３０がない側の第１のテープ体４０と第２のテープ体６０との間隔が拡がるときに嵌合雌部５０の側面に当接するように、適宜設定される。
【００１８】
嵌合具１０の材料としては、各種樹脂が挙げられ、結晶性ポリオレフィン樹脂が好ましい。結晶性ポリオレフィン樹脂としては、ポリエチレン、ポリプロピレン、エチレン−酢酸ビニル共重合体、エチレン−α−オレフィン共重合体等のポリオレフィン系共重合体等が挙げられる。
結晶性ポリオレフィン樹脂のメルトフローレート（ＪＩＳ  Ｋ  ７２１０）は、０．５〜２０ｇ／１０分が好ましい。メルトフローレートが０．５ｇ／１０分未満では、押出成形性が劣る。メルトフローレートが２０ｇ／１０分を超えると、形状安定性が劣る。
【００１９】
嵌合具１０の材料には、必要に応じて、安定剤、酸化防止剤、滑剤、帯電防止剤、着色剤等の公知の添加剤を添加してもよい。
第１のテープ体本体４１および第２のテープ体本体６１は、単層であってもよく、他の層を有する多層であってもよい。他の層としては、ヒートシール層、耐熱層、バリア層等が挙げられる。
【００２０】
嵌合具１０は、例えば、押出機を用いて材料を溶融混練し、第１のテープ体４０の断面および第２のテープ体６０の断面と同じ形状の開口を有する異形ダイから溶融した材料を押出し、冷却固化することにより製造される。
【００２１】
図３は、本発明の嵌合具付き袋体の一例を示す正面図であり、図４は、開口部近傍の断面図である。嵌合具付き袋体７０は、袋体本体８０と、嵌合具１０とを具備するものである。
【００２２】
袋体本体８０は、例えば、２枚のフィルム８１を重ね、周縁の３辺をシール部８２にて溶着したものであり、周縁の１辺には開口部８３を有するものである。
フィルム８１は、単層であってもよく、多層であってもよい。図示例のフィルム８１は、基材層８４とヒートシール層８５とを有する２層フィルムである。基材層８４としては、結晶性ポリオレフィン樹脂、ポリエステル系樹脂、ポリアミド系樹脂、金属箔等が挙げられる。基材層８４は、単層であってもよく、多層であってもよい。ヒートシール層８５としては、ポリオレフィン樹脂、ポリエステル系樹脂等が挙げられる。
【００２３】
嵌合具１０は、突起部３０が嵌合雄部２０よりも開口部８３側となるように、袋体本体８０の開口部８３近傍の内面に取り付けられている。
嵌合具付き袋体７０は、例えば、２枚のフィルム８１の間に嵌合具１０を挟み、フィルム８１の周縁の３辺をシール部８２にてヒートシールによって溶着すると同時に、嵌合具１０をフィルム８１の内面にヒートシールによって溶着することによって製造される。
【００２４】
本発明の作用効果を充分に発揮させるためには、嵌合雄部２０が形成された面とは反対側の第１のテープ体本体４１の表面とフィルム８１の表面とが、嵌合雄部２０および突起部３０に対応する位置で少なくとも溶着していることが好ましい。同様に、嵌合雌部５０が形成された面とは反対側の第２のテープ体本体６１の表面とフィルム８１の表面とが、嵌合雌部５０に対応する位置で少なくとも溶着していることが好ましい。第１のテープ体本体４１とフィルム８１、および第２のテープ体本体６１とフィルム８１とは、第１のテープ体本体４１または第２のテープ体本体６１とフィルム８１との間に隙間が形成されて、該隙間に内容物等が入り込まないようにするために、全面で溶着されていることが特に好ましい。
【００２５】
以上説明した嵌合具１０にあっては、突起部３０が、突起部３０がない側の第１のテープ体４０と第２のテープ体６０との間隔が拡がるときに、嵌合雌部５０の側面に当接するように設けられている。そのため、この嵌合具１０を、突起部３０が嵌合雄部２０よりも開口部８３側となるように、袋体本体８０の開口部８３近傍の内面に取り付けた嵌合具付き袋体７０にあっては、袋体本体８０の内圧に対する嵌合強度が高く、かつ袋体本体８０の開口部８３側からは容易に開封できる。
【００２６】
すなわち、図５に示すように、袋体本体８０の内側の内圧が高くなって袋体本体８０が膨らみ、第１のテープ体４０と第２のテープ体６０との間隔が拡がると、袋体本体８０の開口部８３側の第１のテープ体４０と第２のテープ体６０との間隔は狭くなる。このとき、第２の雄係止爪部２４と第２の雌係止爪部５４との引っ掛かりが維持された状態にあるため、嵌合雄部２０の幹部２１が開口部８３側に傾き、嵌合雌部５０のアーム部５１が開口部８３側に押されて変形し、雌係止爪部５３と雌係止爪部５４との隙間が拡がろうとする。しかし、開口部８３側の第１のテープ体４０と第２のテープ体６０との間隔は狭くなると、突起部３０が袋体本体８０の内側に傾くため、傾いた突起部３０によって、これに当接するアーム部５１が袋体本体８０の内側に押し戻され、雌係止爪部５３と雌係止爪部５４との隙間の拡がりを抑え、嵌合雄部２０の嵌合雌部５０からの脱離が抑制される。
一方、袋体本体８０の開口部８３側から開封する際には、突起部３０は嵌合雌部５０の側面に当接しないため、容易に開封できる。
【００２７】
突起部３０が設けられていなければ、図６に示すように、第１のテープ体４０と第２のテープ体６０との間隔が拡がると、第２の雄係止爪部２４と第２の雌係止爪部５４との引っ掛かりが維持された状態にあるため、嵌合雄部２０の幹部２１が開口部８３側に傾き、嵌合雌部５０のアーム部５１が開口部８３側に押されて変形し、雌係止爪部５３と雌係止爪部５４との隙間が拡がってしまい、第２の雄係止爪部２４と第２の雌係止爪部５４との引っ掛かりが外れ、嵌合雄部２０が嵌合雌部５０から容易に脱離してしまう。
【００２８】
なお、本発明の嵌合具は、図示例のものに限定はされない。例えば、嵌合雄部が、第１のテープ体本体から略直角に立ち上がった２条の幹部を有し、それぞれの幹部の先端に、嵌合雌部側に突出した雄係止爪部が形成されたものであってもよい。また、嵌合雄部と嵌合雌部とからなるペアを、複数有する嵌合具であってもよい。
【実施例】
【００２９】
以下、実施例を示す。
〔実施例１〕
密度９１６ｋｇ／ｍ3 、メルトフローレート８．５ｇ／１０分のエチレン−α−オレフィン共重合体（三井化学社製、ウルトゼックス２０１０００Ｊ）６０質量％と、密度９２１ｋｇ／ｍ3 、メルトフローレート５．０ｇ／１０分の低密度ポリエチレン（住友化学社製、スミカセンＦ４１２−１）４０質量％とからなる樹脂組成物を用意した。
【００３０】
口径４０ｍｍ、Ｌ／Ｄ＝２５の押出機を用いて樹脂組成物を１６０℃で溶融混練した。図１に示す第１のテープ体４０の断面および第２のテープ体６０の断面と同じ形状の開口を有する異形ダイから溶融した樹脂組成物を押出し、冷却水槽に導き冷却固化させた後、巻取機にて巻き取り、突起部３０を有する嵌合具１０を得た。
【００３１】
〔比較例１〕
図６に示す第１のテープ体４０の断面および第２のテープ体６０の断面と同じ形状の開口を有する異形ダイに変更した以外は、実施例１と同様にして、突起部３０のない嵌合具を得た。
【００３２】
〔評価〕
東洋精機製作所製の引張試験機「ストログラフ」を用い、嵌合具の長さ５０ｍｍあたりの嵌合強度を、試験速度５０ｍｍ／分で測定した。結果を表１に示す。
【００３３】
【表１】
2007190324.tif 000003
【００３４】
〔実施例２〕
袋体本体用のフィルムとして、ポリアミド樹脂層と直鎖状低密度ポリエチレン（ＬＬＤＰＥ）層とからなる２層ラミネートフィルム（ポリアミド層層の厚さ＝１５μｍ、ＬＬＤＰＥ層の厚さ＝５０μｍ）を用意した。ＬＬＤＰＥ層を内側とした２枚のラミネートフィルムの間に、実施例１の嵌合具１０を挟み、嵌合具付三方製袋機（商品名「ＳＢＭ−６００−ＳＳＧ」、西部機械株式会社製）を用いてフィルムの周縁の３辺をヒートシールすると同時に、嵌合具１０を、突起部３０が嵌合雄部２０よりも開口部８３側となるように、ラミネートフィルムの内面にヒートシールして嵌合具付き袋体を得た。袋体本体の内側に圧力をかけても、内側からは容易に開封せず、一方、袋体本体の開口部側からは容易に開封できた。
【産業上の利用可能性】
【００３５】
本発明の嵌合具付き袋体は、食品、薬品、工業製品等の包装、特に、内側から強い圧力がかかる可能性のある包装または重量物の包装に用いる包装材として有用である。
【図面の簡単な説明】
【００３６】
【図１】本発明の嵌合具の一例を示す断面図である。
【図２】本発明の嵌合具の他の例を示す断面図である。
【図３】本発明の嵌合具付き袋体の一例を示す正面図である。
【図４】図３におけるIV−IV断面図である。
【図５】本発明の嵌合具付き袋体の内側から開封しようとする様子を示す断面図である。
【図６】従来の嵌合具付き袋体の内側から開封しようとする様子を示す断面図である。
【符号の説明】
【００３７】
１０  嵌合具
２０  嵌合雄部
３０  突起部
４０  第１のテープ体
５０  嵌合雌部
６０  第２のテープ体
７０  嵌合具付き袋体
８０  袋体本体
８３  開口部
【図１】
2007190324.tif 000004
【図２】
2007190324.tif 000005
【図３】
2007190324.tif 000006
【図４】
2007190324.tif 000007
【図５】
2007190324.tif 000008
【図６】
2007190324.tif 000009